(57)【特許請求の範囲】
【請求項１】
両面画情報を送信するファクシミリ装置において、
送信すべき原稿表面および裏面の画情報がほぼ全白の全白画情報であるか否かを検出する検出手段と、
前記検出手段が全白画情報を検出している場合、当該原稿面に関しては全白画情報を送信するが、この全白画情報には対応するヘッダ情報の画情報を付与せずに送信するよう制御する制御手段を有することを特徴とするファクシミリ装置。
【請求項２】
前記ヘッダ情報に含まれるページ番号は全白画情報をカウントアップせず、ヘッダ情報を付与して送信する全白ではない有効画情報をカウントアップすることを特徴とする請求項１に記載のファクシミリ装置。
【請求項３】
全白画情報および、全白ではない有効画情報のいずれについても、ＩＴＵ−Ｔ勧告Ｔ．３０に基づきページナンバーおよび表裏の識別情報をポストメッセージ信号により送信することを特徴とする請求項１に記載のファクシミリ装置。
【請求項４】
全白ではない有効画情報に、対応するヘッダ情報を付与して送信するよう制御することを特徴とする請求項１に記載のファクシミリ装置。
【請求項５】
両面画情報を送信するファクシミリ装置の制御方法において、
送信すべき原稿表面および裏面の画情報がほぼ全白の全白画情報であるか否かを検出する検出工程と、
前記検出工程で全白画情報を検出している場合、当該原稿面に関しては全白画情報を送信するが、この全白画情報には対応するヘッダ情報の画情報を付与せずに送信するよう制御する制御工程を含むことを特徴とするファクシミリ装置の制御方法。
【請求項６】
前記ヘッダ情報に含まれるページ番号は全白画情報をカウントアップせず、ヘッダ情報を付与して送信する全白ではない有効画情報をカウントアップすることを特徴とする請求項５に記載のファクシミリ装置の制御方法。
【請求項７】
全白画情報および、全白ではない有効画情報のいずれについても、ＩＴＵ−Ｔ勧告Ｔ．３０に基づきページナンバーおよび表裏の識別情報をポストメッセージ信号により送信することを特徴とする請求項５に記載のファクシミリ装置の制御方法。
【請求項８】
全白ではない有効画情報に、対応するヘッダ情報を付与して送信するよう制御することを特徴とする請求項５に記載のファクシミリ装置の制御方法。
【請求項９】
両面画情報を送信するファクシミリ装置の制御プログラムにおいて、
送信すべき原稿表面および裏面の画情報がほぼ全白の全白画情報であるか否かを検出する検出工程と、
前記検出工程で全白画情報を検出している場合、当該原稿面に関しては全白画情報を送信するが、この全白画情報には対応するヘッダ情報の画情報を付与せずに送信するよう制御する制御工程を含むことを特徴とするファクシミリ装置の制御プログラム。
【請求項１０】
前記ヘッダ情報に含まれるページ番号は全白画情報をカウントアップせず、ヘッダ情報を付与して送信する全白ではない有効画情報をカウントアップすることを特徴とする請求項９に記載のファクシミリ装置の制御プログラム。
【請求項１１】
全白画情報および、全白ではない有効画情報のいずれについても、ＩＴＵ−Ｔ勧告Ｔ．３０に基づきページナンバーおよび表裏の識別情報をポストメッセージ信号により送信することを特徴とする請求項９に記載のファクシミリ装置の制御プログラム。
【請求項１２】
全白ではない有効画情報に、対応するヘッダ情報を付与して送信するよう制御することを特徴とする請求項９に記載のファクシミリ装置の制御プログラム。
【発明の詳細な説明】
【０００１】
【発明の属する技術分野】
本発明は両面画情報を送信するファクシミリ装置、その制御方法、およびその制御プログラムに関するものである。
【０００２】
【従来の技術】
従来のファクシミリ装置は、片面情報の原稿を送信して、片面に記録する動作が基本となっていた。旧来のＩＴＵ−Ｔ勧告Ｔ４、あるいはＴ３０などでは、この片面通信のみが記述されていた。
【０００３】
一方で、最近は省資源化に関する意識が高まっており、プリンタや複写機などにおいては、１枚の紙の表面と裏面に記録を行なういわゆる両面記録方式を有するものが増えつつある。これに伴ない、両面ファクシミリ通信に関する規格が２０００年の２月にＩＴＵ−Ｔで勧告化された。
【０００４】
新しいＩＴＵ−Ｔ勧告Ｔ．３０、あるいはその試案では、両面画情報の伝送方式としては、原稿表面の画像、裏面の画像を各ページについて交互に送信する両面交互伝送（交互モード）、あるいは原稿表面の画像全部を送信し、続いて裏面の画像全部を送信する両面連続伝送（連続モード）などが定義されている。
【０００５】
【発明が解決しようとする課題】
新しいＩＴＵ−Ｔ勧告Ｔ．３０、あるいはその試案における両面通信は、原稿が両面原稿である、つまり、原稿の両面に必ず有意な画像が含まれていることを前提としており、両面原稿と片面原稿（たとえば裏面が全白情報である）が混在している場合でも、必ず片面原稿の裏面情報を送信するフェーズ（中間手順および全白画像の送信手順）を実行しなければならない。
【０００６】
そこで、通信効率を改善するため、何らかの方法で、片面原稿の裏面情報を送信するための中間手順および全白画像の送信手順を省略することも考えられるが、通信の互換性を低下させる恐れがある。
【０００７】
一方、従来より発信元情報を受信側で記録させる技術が知られている。この発信元情報は、発信局の識別番号（電話番号、メールアドレスなど）、発信局の名称（あるいはユーザ定義の任意の文字列など）であり、このような発信元情報は通信日時、ページ番号などとともにキャラクタジェネレータなどを用いて画像として生成し（多くは発信側でこの画像データ生成を行なう）、記録紙の先頭部分などに記録するもので、これらの情報はその記録位置からヘッダ情報などと呼ばれることもある。
【０００８】
この発信元情報の記録と、片面原稿でも形式上は全白面であっても送信を行なわなければならない上記のＩＴＵ−Ｔ勧告Ｔ．３０の仕様を考えあわせると、全白面においても記録紙に発信元情報を記録するような仕様となる。しかし、仕様上は自然であっても、白紙の面にも発信元情報が記録されていると受信側ユーザに奇異な印象を与える、という問題がある。
【０００９】
本発明の課題は、通信互換性を低下させることなく片面／両面混在の原稿画像を送信できるようにするとともに、片面／両面混在の原稿画像であっても、受信側ユーザに奇異な印象を与えることのない自然な発信元情報を付与して送信できるようにすることにある。
【００１０】
【課題を解決するための手段】
上記の課題を解決するため、本発明によれば、両面画情報を送信するファクシミリ装置、その制御方法、およびその制御プログラムにおいて、送信すべき原稿表面および裏面の画情報がほぼ全白の全白画情報であるか否かを検出し、全白画情報を検出している場合、当該原稿面に関しては全白画情報を送信するが、この全白画情報には対応するヘッダ情報の画情報を付与せずに送信するよう制御する構成を採用した。
【００１１】
【発明の実施の形態】
以下、図を参照して本発明の実施の形態を説明する。
【００１２】
図１は、本発明を採用したファクシミリ装置のハードウェア構成を示している。図１において符号２は、ＮＣＵ（網制御装置）で、電話網をデータ通信等に使用するためにその回線の端末に接続し、電話交換網の接続制御を行なったり、データ通信路への切り替えを行なったり、ループの保持を行なうものである。ＮＣＵ２は、バス２６からの制御に応じて電話回線２ａを電話機４側に接続する（ＣＭＬオフ）か、電話回線２ａをファクシミリ装置側に接続する（ＣＭＬオン）。通常状態では、電話回線２ａは電話機４側に接続されている。
【００１３】
符号６はハイブリッド回路で、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１４】
符号８は変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行なう。変復調器８は、バス２６からの送信信号を入力し、変調データを信号線８ａに出力し、信号線６ａに出力されている受信信号を入力し、復調データをバス２６に出力する。その際用いられる上記の各伝送モードはバス２６を介して指定される。
【００１５】
符号１０は、発呼回路であり、バス２６からの制御に応じて、電話番号情報を入力し、信号線１０ａにＤＴＭＦ形式の選択信号を出力する。
【００１６】
符号１２は、加算回路であり、信号線８ａの情報と信号線１０ａの情報を入力し、加算した結果を信号線１２ａに出力する。
【００１７】
符号１４は、原稿の両面から画情報を読み取ることができる読取回路であり、光学読取素子および原稿搬送系から構成され、読み取りデータをバス２６に出力する。本実施形態では、読取回路１４の原稿搬送系は、原稿の表、裏を反転しつつ１枚目の表、裏、２枚目の表、裏…の順で原稿両面から読み取りを行なう構成を前提とする。
【００１８】
符号１６は、両面情報を記録可能な記録回路であり、バス２６に出力されている情報を順次１ライン毎に記録する。記録回路１６は、レーザビームプリンタなどの記録機構を有し、記録紙反転機構（不図示）などを用いて記録紙両面に画像記録を行なえるよう構成される。
【００１９】
符号１８は、メモリ回路であり、ＲＡＭ（あるいはハードディスクドライブなどのような読み書き可能なメモリ）を含み、後述のＣＰＵ２２のワーク領域として用いられる。読み取った、あるいは受信した画像データを生データ、あるいは符号化データの形式で格納する他、他の制御データも格納される。メモリ回路１８へのアクセスはバス２６を介して行なわれる。
【００２０】
符号２０は、操作部であり、ワンタッチダイヤル、短縮ダイヤル、テンキー、＊キー、＃キー、スタートキー、ストップキー、セットキー、両面送信選択キー、その他のファンクションキーがあり、これらのキーの操作情報はバス２６に出力される。操作部２０には、ＬＣＤなどの表示素子から成る表示部が設けられており、装置の動作状態をモニタしたり、各種の設定を行なうユーザーインターフェースに用いられる。操作部２０のアクセスはバス２６を介して行なわれる。
【００２１】
符号２２は、ＣＰＵ（中央処理装置）であり、ファクシミリ全体の動作を制御するとともに、ファクシミリ伝送制御手順を実行するが、その制御プログラムは、ＲＯＭ２４に格納される。符号２６はＣＰＵ２２のバスで、アドレスバス、データバスから構成される。
【００２２】
本実施形態では、ＣＰＵ２２の制御により、次のようなファクシミリ通信を行なう。
【００２３】
（１）ある原稿面（以下の制御例では裏面）が全白である場合は、ＩＴＵ−Ｔ勧告Ｔ．３０通り裏面の全白情報を送信する。
【００２４】
（２）ＩＴＵ−Ｔ勧告で規定されたページナンバー（後述のＰＮ）および表裏の識別情報（後述のＳＩＤＥ）もＩＴＵ−Ｔ勧告Ｔ．３０通り送信する。
【００２５】
（３）ある原稿面（以下の制御例では裏面）の画情報として全白情報を送信する場合は、その面に関して受信側で発信元情報（ヘッダ情報）が記録されないよう制御する。
【００２６】
（３’）受信側で発信元情報として記録するページ番号は全白ではない有効画情報のページ数をカウントアップし、全白画情報はカウントアップしない。
【００２７】
たとえば、
１枚目：片面情報（裏面が全白）
２枚目：両面情報
３枚目：片面情報（裏面が全白）
のような構成の３枚の原稿の場合、本実施形態では図１４のように送信される。
【００２８】
図１４の符号１６１〜１６４は４面分の全白ではない画像データを示し、そのそれぞれの先頭部分に「ページ番号／総ページ数」の形式で発信元情報１６５〜１６８が付与されている。総ページ数は有効画像の数で、図１４の場合、４である。なお、この発信元情報の「ページ番号／総ページ数」の形式のうち「／総ページ数」の分母部分はオプショナルな情報で、必ずしも生成、送信しなくてもよい。
【００２９】
符号１７１〜１７６は後述するポストメッセージ信号（いわゆるＱ信号）であり、（）でくくって示した２つの数字は左からページナンバー（後述のＰＮ）、表裏情報（後述のＳＩＤＥ）である。
【００３０】
このうち、ページナンバー（ＰＮ）、表裏情報（ＳＩＤＥ）は、ＩＴＵ−Ｔ勧告Ｔ．３０で決められたものである。ページナンバー（ＰＮ）は表面、裏面と歩進し、表面は必ず奇数番号となる。表裏情報は表：０、裏：１の値で表現される。
【００３１】
符号１８１、１８２は、１枚目および３枚目が片面原稿であるために裏面として送信される全白画像データである。本実施形態では、これら全白画像データ１８１、１８２には発信元情報は付与しない。
【００３２】
図１４の画像データ１６１〜１６４、および全白画像データ１８１、１８２と、それぞれ対応するポストメッセージ信号１７１〜１７６は、矢印１９１〜２０１で示す順序で送信される。
【００３３】
ここで、図２〜図７を参照して、本実施形態における両面伝送のための通信手順の概略を説明する。図２〜図７に示した部分は、ＩＴＵ−Ｔ勧告Ｔ．３０に準拠する手順とほぼ同じである。
【００３４】
ＩＴＵ−Ｔ勧告Ｔ．３０で定義された両面伝送の通信モードとしては、交互モード（両面交互伝送モード）と連続モード（両面連続伝送モード）の２つが存在する。前者は１ページ目の表面、裏面、２ページ目の表面、裏面…と原稿１枚づつその表面、裏面を交互に伝送するモードである。また、後者は１ページ目の表面、２ページ目の表面…とまず原稿の表面のみページ順に全部伝送し、しかる後に１ページ目の裏面、２ページ目の裏面…と原稿の裏面をページ順に全部伝送するモードである。ファクシミリ装置はその実装形態に応じていずれかのモードを使用することができる。
【００３５】
次に、図２に、ＤＩＳ（デジタル識別：画像受信局から送信される）、ＤＴＣ（デジタル送信命令：画像送信局から送信される）、およびＤＣＳ（デジタル命令：画像送信局から送信される）の各信号のＦＩＦ（ファクシミリ情報フィールド）における両面伝送を指定する情報の構成を表形式で示す。
【００３６】
図２に示すように、ＤＩＳ／ＤＴＣ信号では、ＦＩＦのｘビット（図中ではビット数は「ｘ」により示されているが実際には１１３）目により、交互モードでの両面記録機能の有無を表し、ＦＩＦのｘ＋１（同１１４）ビット目により、連続モードでの両面記録機能の有無を表す。また、ＤＣＳ信号においては、ＦＩＦのｘ（同１１３）ビット目により、交互モードでの両面送信を指定し、ＦＩＦのｘ＋１（同１１４）ビット目により、連続モードでの両面送信を指定する。
【００３７】
図３は、ノーマルＧ３伝送でのＱ信号（具体的にはＥＯＰ（ページ終了）あるいは、ＭＰＳ（マルチページ）、あるいはＥＯＭ（メッセージ終了）信号など）、また、ＥＣＭ（エラー訂正モード）伝送でのＰＰＳ−Ｑ信号（具体的にはＰＰＳ−ＥＯＰ、あるいは、ＰＰＳ−ＭＰＳ、あるいはＰＰＳ−ＥＯＭ、あるいはＰＰＳ−ＮＵＬＬなどのポストメッセージ信号）のフレーム構成を示している。
【００３８】
図３のように、これらのポストメッセージ信号では、Ｆｌａｇ（フラグ）、Ａｄｄｒｅｓｓ（アドレス）、Ｃｏｎｔｒｏｌ（制御データ）、ＦＣＦ（ファクシミリ制御フィールド）に続き、ファクシミリ情報が送信される。ファクシミリ情報の先頭では、ＥＣＭの場合のみＰＣ（ページカウンタ）、ＢＣ（ブロックカウンタ）、ＦＣ（フレームカウンタ）の３つのフィールドが送信され、その後に両面伝送関係のファクシミリ情報が続く。両面伝送関係のファクシミリ情報は、Ｌｅｎｇｔｈ（続くＰａｇｅ  ｎｕｍｂｅｒ（２オクテット）とＰａｇｅ  ｉｎｆｏｒｍａｔｉｏｎ（現在は１オクテット）の合計オクテット数）、Ｐａｇｅ  ｎｕｍｂｅｒ（ページナンバー：２オクテット）、Ｐａｇｅ  ｉｎｆｏｒｍａｔｉｏｎ（ページ情報）が続き、その後にＦＣＳ（フレームチェックシーケンス）、Ｆｌａｇ（フラグ）が続く。
【００３９】
上記のうち、Ｐａｇｅ  ｎｕｍｂｅｒ（ページナンバー：ＰＮとも表記する）は、規約上、両面原稿をページ順に表面、裏面と送信する際、表、裏の各面ごとにＰ１から１ページずつ加算されることになっている。また、Ｐａｇｅ  ｉｎｆｏｒｍａｔｉｏｎ（ページ情報）は、データ幅１オクテットで、その面の画情報が表であるか裏であるかを示し、ｂｉｔ０により表面（０）か裏面（１）を表現する。当面、ビット１〜６は予約ビットで機能は定義されておらず、ビット７は拡張ビットとして常時０にセットされる。
【００４０】
上記のポストメッセージ信号のファクシミリ情報のうち、Ｌｅｎｇｔｈ、Ｐａｇｅ  ｎｕｍｂｅｒ、Ｐａｇｅ  ｉｎｆｏｒｍａｔｉｏｎの３つが、旧来の片面プロトコルでは無かったフィールドである。
【００４１】
なお、ノーマルＧ３通信にて使用するＱ信号には、ＰＣ、ＢＣ、ＦＣは含まれず、ＥＣＭ通信にて使用するＰＰＳ−Ｑ信号でのみ使用される。
【００４２】
図４は、ノーマルＧ３モードにおける交互モードでの両面伝送の様子を、図５はＥＣＭ通信モードにおける交互モードでの両面伝送の様子を、図６はノーマルＧ３モードにおける連続モードでの両面伝送の様子を、図７はＥＣＭ通信モードにおける連続モードでの両面伝送の様子を示している。
【００４３】
図４〜図７のように、ＤＩＳ信号のｘおよびｘ＋１ビットにより受信機の両面伝送機能（交互および連続のいずれも可）が示され、ＤＣＳ信号のｘおよびｘ＋１ビットにより、送信機がこれから実行しようとする両面伝送モードが宣言される。図６、図７の連続モードでは、ＤＣＳ信号のｘ＋１ビットを１とすることにより連続モードでの送信を行なうことが宣言されている。
【００４４】
また、図４、図６に示すように、ノーマルモードの場合はポストメッセージ信号としてＭＰＳ信号が、また、図５、図７に示すように、ＥＣＭの場合はポストメッセージ信号としてＰＰＳ−ＭＰＳ信号が用いられている。
【００４５】
ここでは３枚の両面原稿が送信されており、各図中の「ＰＮ」は上記のＰａｇｅ  Ｎｕｍｂｅｒを示している。
【００４６】
たとえば、図４（交互モード）に符号４１で示したＭＰＳ信号は、「ＭＰＳ（ＰＮ＝１，０（ｆｒｏｎｔ  ｓｉｄｅ））」と図示されているが、これは、ページ番号１（ＰＮ＝１）、表面（０（ｆｒｏｎｔ  ｓｉｄｅ））の画情報を送信したことを示している（図４以降のＭＰＳあるいはＰＰＳ−ＭＰＳ信号の表記は上記と同趣である）。
【００４７】
すなわち、図４および図５の交互モードでは、１枚目（ＰＮ＝１）の表（０）、１枚目（ＰＮ＝２）の裏（１）、２枚目（ＰＮ＝３）の表（０）、２枚目（ＰＮ＝４）の裏（１）、３枚目（ＰＮ＝５）の表（０）、３枚目（ＰＮ＝６）の裏（１）の順で原稿の画情報が送信されている。
【００４８】
また、図６および図７の連続モードでは、１枚目（ＰＮ＝１）の表（０）、２枚目（ＰＮ＝３）の表（０）、３枚目（ＰＮ＝５）の表（０）、１枚目（ＰＮ＝２）の裏（１）、２枚目（ＰＮ＝４）の裏（１）、３枚目（ＰＮ＝６）の裏（１）の順で原稿の画情報が送信されている。
【００４９】
次に、本実施形態のファクシミリ通信を行なうためにＣＰＵ２２で実行すべき通信制御を図８〜図１３に示す。図８〜図１３の制御手順はＣＰＵ２２のプログラムとして、ＲＯＭ２４に格納しておく。図８〜図１３は上記の通信制御を実現するための処理の流れをフローチャート図として示したもので、図８〜図１３の同一番号の個所はそれぞれの位置で連続しているものとする。
【００５０】
本実施形態の通信手順では、片面／両面混在原稿画像を送受信する場合、送信機でＩＴＵ−Ｔ勧告Ｔ．３０通り、原稿面から全白画像データを読み取っても、その全白画像データは受信機に送信するが、発信元情報は全白画像データには付加しない。一方、全白以外の画情報は画像に発信元情報を画像として生成して付加する。
【００５１】
また、片面／両面混在原稿画像では、発信元情報に含まれるページ番号と、ＰＰＳ−Ｑで送信するページナンバー（ＰＮ）は異なったものになる。発信元情報は全白ページでは送信されず、また発信元情報に含まれるべきページ番号はその全白ページではカウントアップしないが、ＰＰＳ−Ｑで送信すべきページナンバー（ＰＮ）は、勧告通り全白ページでもカウントアップする。
【００５２】
なお、以下の実施形態においては、全白情報であるか否かは裏面情報に対してのみ判断するものとし、両面通信手順としては交互モードのみを例示する。
【００５３】
また、以下では、ＥＣＭ制御に関しては説明を省略するが、ＥＣＭ通信を行なうか否かは、従来通り、ＤＩＳ／ＤＣＳ信号を用いたネゴシエーションにより決定されるものとする。
【００５４】
図８において、ステップＳ０は、所定のリセット操作などにより開始される処理の始めを示している。
【００５５】
ステップＳ２では、バス２６を介してメモリ回路１８をイニシャライズし、ステップＳ４では、バス２６を介して、操作部２０の表示部をイニシャライズ（クリア）する。
【００５６】
ステップＳ６では、バス２６を介してＮＣＵ２のＣＭＬをオフとし、回線２ａを電話機４側に接続する。
【００５７】
ステップＳ８では、バス２６を介して操作部２０の操作情報を入力し、ファクシミリ送信が選択されたか否かを判断し、ファクシミリ送信が選択されている場合にはステップＳ１２に進み、ファクシミリ送信が選択されていない場合にはステップＳ１０に進む。
【００５８】
ステップＳ１２では、バス２６を介して操作部２０の情報を入力し、両面原稿の送信が選択されたか否かを判断し、両面原稿の送信が選択されている場合はステップＳ１４に進み、両面原稿の送信が選択されていない場合は図１３のステップＳ１０４に進む。
【００５９】
ステップＳ１４では、読取枚数カウンタＫ、および面フラグをそれぞれ「１」、「表」に初期化する。これらのカウンタ、フラグはメモリ回路１８の所定領域に確保されるものとする（後述のページカウンタ、送信枚数カウンタＬも同様）。面フラグは「表」または「裏」の２値を取り、実際にはこれらの値にはたとえば「０」、「１」のような数値をメモリ上で割り当てるものとする。
【００６０】
ステップＳ１８では、読取回路１４により、読取枚数カウンタＫ、および面フラグの示す原稿面の画情報を読み取り、メモリ回路１８の画像メモリ領域に格納する。
【００６１】
図９のステップＳ２０では、面フラグの値が「裏」か否かを判定する。面フラグの値が「裏」であればステップＳ２２に、面フラグの値が「裏」でなければステップＳ２４に移行する。
【００６２】
ステップＳ２２では、面フラグを「表」にセットし、図８のステップＳ８にループする。
【００６３】
ステップＳ２４では、ステップＳ１８で読み取った原稿画像が（ほぼ）全白であるか否かを判定する。これは、たとえば黒ドット数が占めるパーセンテージが０．１％（この基準値は当業者で任意に定めればよい）以下であるか否かを判断することなどにより行なえる。ステップＳ２４が肯定された場合にはステップＳ２６に進み、否定された場合にはステップＳ２８に進む。
【００６４】
ステップＳ２６では、読取枚数カウンタＫ、面フラグに対応しその面の状態（全白か否か）を記憶するための所定の記憶領域にその面が全白情報である旨の情報を記憶させる。
【００６５】
ステップＳ２８では、読取回路１４で読み取るべき次のページがあるか否かを判断し、次ページがあればステップＳ３０へ、次ページがなければステップＳ３４に進む。
【００６６】
ステップＳ３０では、読取枚数カウンタＫを１だけインクリメントし、ステップＳ３２では面フラグを「表」にセットしてステップＳ１８にループし、次の原稿の表面の処理に入る。
【００６７】
全ての原稿を読み取ると、ステップＳ３４においてバス２６を介してＮＣＵ２のＣＭＬをオンとし、回線２ａをファクシミリ装置（ハイブリッド回路６）側に接続する。
【００６８】
ステップＳ３６では、バス２６を介して発呼回路１０を制御し、指定された宛先を発呼する。宛先は操作部２０のテンキーやワンタッチキーなどにより指定されるものとする。
【００６９】
ステップＳ３８では、ファクシミリ前手順を実行し、さらにステップＳ４０において、相手の受信機が交互モードの両面受信機能を有しているか否かを判定する。この判定は、受信機から受信したＤＩＳ信号のＦＩＦのＸビットを調べれば良い。ここで、受信機が交互モードの両面受信機能を有していれば図１１のステップＳ７０に、受信機が交互モードの両面受信機能を有していなければ図１０のステップＳ４２に移行する。
【００７０】
受信機が交互モードの両面受信機能を有していない場合は、図１０のステップＳ４２において、ページカウンタ（ＥＣＭのページカウンタＰＣとは異なる内部的なカウンタ）に「１」をセットする。このページカウンタは発信元情報に含めるページ番号をカウントするものである。
【００７１】
ステップＳ４４では送信枚数カウンタＬおよび面フラグに「１」、「表」をそれぞれセットする。
【００７２】
ステップＳ４８では、残りのファクシミリ前手順を実行する。ここでは、（交互モードの）両面手順は指定しない（旧来の片面手順のみを用いて通信を行なう）。
【００７３】
ステップＳ５０では、現在の送信枚数カウンタＬおよび面フラグが示す画情報をメモリ回路１８の画像メモリ領域から読み出して送信する。このとき、発信元情報は、ページ番号の他、通信日時、発信局の識別番号（電話番号、メールアドレスなど）、発信局の名称（あるいはユーザ定義の任意の文字列など）などをキャラクタジェネレータなどを用いて、先頭部分などに記録されるよう画像データに付与するが、ページ番号については、「ページ番号／総ページ数」（図１４参照）のような形式を用いる。このうち、「ページ番号」はページカウンタの値から生成し、「総ページ数」は（２Ｋ−全白ページ数）の値から生成する。
【００７４】
ステップＳ５４では、面フラグの値が「表」か否かを判定する。面フラグの値が「表」であればステップＳ５６へ、面フラグの値が「表」でなければステップＳ６０に移行する。
【００７５】
面フラグの値が「表」の場合、ステップＳ５６において面フラグに「裏」をセットし、さらにステップＳ５８では送信枚数カウンタＬおよび面フラグが示す画情報が全白かどうか、つまり、今送信した表面に対応する裏面が全白か否かを調べる。ステップＳ５８が肯定された場合にはステップＳ６０に、否定された場合にはステップＳ６８に移行する。
【００７６】
ステップＳ５４で面フラグの値が「表」でない場合、つまり裏面を処理していた場合は直接ステップＳ６０に移行し、ここでは送信枚数カウンタＬの値が読取枚数カウンタＫ以上であるか、つまり、読み取り、メモリに格納した画像を全て送信したか否かを判定する。ステップＳ６０が肯定された場合にはステップＳ６２へ、否定された場合にはステップＳ６４に移行する。ステップＳ６２ではファクシミリ後手順を実行し、図８のステップＳ６に復帰する。
【００７７】
一方、送信すべき残りの画像がある場合にはステップＳ６４において送信枚数カウンタＬを１だけインクリメントし、ステップＳ６６で面フラグに「表」をセットし、さらにステップＳ６８でページカウンタを１だけインクリメントし、ステップＳ５２にループする。ステップＳ５２では中間手順を実行し、ステップＳ５０に移行する。
【００７８】
すなわち、ステップＳ５８、Ｓ６０、Ｓ６４の構成によれば、表面の送信が終り、その裏面が全白の場合は、ステップＳ５４で裏面を送信した事が検出された場合と同様にステップＳ６４で送信枚数カウンタＬのカウントアップが起き、続くステップＳ４８では次の表面が送信される。また、表面の送信が終り、その裏面が全白でない場合は、ステップＳ５８からステップＳ６８に移行することにより、続くステップＳ４８でその裏面が送信される。
【００７９】
以上のように、受信機が交互モードの両面受信機能を有していない場合は、図１０の手順により旧来の片面手順のみを用いて全白でないページの画像のみを送信する。全白画像データは送信されず、発信元情報のページ番号は送信される全白でないページに対応してカウントアップされる。
【００８０】
一方、受信機が交互モードの両面受信機能を有している場合は、図１１のステップＳ７０に移行する。このステップＳ７０では、まずページカウンタに「１」をセットする。
【００８１】
続いてステップＳ７２では、送信枚数カウンタＬおよび面フラグに「１」、「表」をそれぞれセットする。
【００８２】
ステップＳ７６では、残りのファクシミリ前手順を実行し、ＤＣＳ信号のＸビット、Ｘ＋１ビットにより交互モードの両面手順を指定する。
【００８３】
ステップＳ７８では、送信枚数カウンタＬおよび面フラグが示す画情報をメモリ回路１８の画像メモリ領域から読み出して送信する。この時、発信元情報はステップＳ５０同様に生成する。すなわち、発信元情報のページ番号については、「ページ番号」はページカウンタの値から生成し、「総ページ数」は（２Ｋ−全白ページ数）の値から生成し、「ページ番号／総ページ数」（図１４参照）のような形式を用いる。
【００８４】
ステップＳ７９では、ページカウンタを１だけインクリメントする。
【００８５】
ステップＳ８０では、面フラグの値が「表」か否かを判定する。面フラグの値が「表」であればステップＳ８２へ、面フラグの値が「表」でなければ図１２のステップＳ９４に移行する。
【００８６】
面フラグの値が「表」の場合、ステップＳ８２において面フラグに「裏」をセットする。続いてステップＳ８４において、今送信した表面に対応するＰＰＳ−ＭＰＳ信号を送信する。ここでは、Ｐａｇｅ  Ｎｕｍｂｅｒ（ＰＮ）としては（２Ｌ−１）の値を送信する。また、Ｐａｇｅ  Ｉｎｆｏｒｍａｔｉｏｎの表裏の値は表面を示す「０」とする。その後、処理は図１２のステップＳ８８に移行する。
【００８７】
図１２のステップＳ８８では、送信枚数カウンタＬおよび面フラグが示す画情報が全白かどうかを調べる。つまり、今送信した表面に対応する裏面が全白か否かを調べる。ステップＳ８８が肯定された場合にはステップＳ９２に、否定された場合には図１１のステップＳ７８にループし、この裏面の情報を送信処理する。
【００８８】
ステップＳ８８において、今送信した表面に対応する裏面が全白の場合は、ステップＳ９２において全白情報を送信し、ステップＳ９４に移行する。つまり、全白の裏面については、上記のステップＳ７８（非全白画像の画像送信）と、ステップＳ７９（ページカウンタのカウントアップ）のかわりに、このステップＳ９２を実行してからステップＳ９４に移行する。
【００８９】
一方、ステップＳ８０で面フラグの値が「表」ではなかった場合（全白でない裏面を送信した場合）、上記のステップＳ９２を通過した場合（全白の裏面を送信した場合）は、ステップＳ９４において送信枚数カウンタＬの値が読取枚数カウンタＫ以上であるか、つまり、読み取り、メモリに格納した画像を全て送信したか否かを判定する。ステップＳ９４が肯定された場合にはステップＳ９６に、否定された場合にはステップＳ９８に移行する。
【００９０】
ステップＳ９４で、読み取り、メモリに格納した画像を全て送信した場合は、ステップＳ９６において、今送信した裏面の画情報に対応するＰＰＳ−ＥＯＰ信号を送信する。ここでは、Ｐａｇｅ  Ｎｕｍｂｅｒ（ＰＮ）としては（２Ｌ）の値を送信する。また、Ｐａｇｅ  Ｉｎｆｏｒｍａｔｉｏｎの表裏の値は裏面を示す「１」とする。その後、処理は図８のステップＳ６に復帰する。
【００９１】
一方、ステップＳ９４で送信すべき原稿画像が残っている場合はステップＳ９８において、今送信した全白の裏面に対応してＰＰＳ−ＭＰＳ信号を送信する。ここでは、ステップＳ９６同様、Ｐａｇｅ  Ｎｕｍｂｅｒ（ＰＮ）としては（２Ｌ）の値を送信する。また、Ｐａｇｅ  Ｉｎｆｏｒｍａｔｉｏｎの表裏の値は裏面を示す「１」とする。
【００９２】
ステップＳ１００では、次の枚数目の画像の処理に移行するため、送信枚数カウンタＬを１だけインクリメントし、ステップＳ１０２では面フラグに「表」をセットして図１１のステップＳ７８に移行する。
【００９３】
以上のようにして、受信機が交互モードの両面受信機能を有している場合は、図１１、図１２の手順により交互モードの両面送信を行ない、このとき、全白ページ（本実施形態の場合裏面のみ）については全白画像データを送信するとともに、発信元情報のページ番号は全白でないページに対応してカウントアップされる。
【００９４】
一方、図８のステップＳ１２において、両面原稿の送信が選択されていない場合は図１３のステップＳ１０４においてバス２６を介してＮＣＵ２のＣＭＬをオンとし、回線２ａをファクシミリ装置（ハイブリッド回路６）側に接続する。
【００９５】
ステップＳ１０６では発呼回路１０を制御し、指定された宛先を発呼する。宛先は操作部２０のテンキーやワンタッチキーなどにより指定される。
【００９６】
ステップＳ１０８ではファクシミリ前手順を実行するが、ここではＤＣＳ信号で（交互モードの）両面送信は指定せず、旧来の片面手順を用いることを宣言する。
【００９７】
ステップＳ１１０では、片面情報をページ順に送信する。すなわち、読取回路１４により原稿の表面の画像を読み取り、ページ順に送信する処理を行なう。ここでは、原稿表面の画像を読み取るごとにページ番号をカウントアップし、そのページ番号を発信元情報の画像に含めて送信する。
【００９８】
ステップＳ１１２では、ファクシミリ後手順を実行し、図８のステップＳ６に復帰する。
【００９９】
以上のように、図１３の手順により、両面送信が指定されていない場合は旧来の片面手順を用いて原稿表面の画像を送信する。なお、ここでは、旧来の片面手順と同様に全白表面についても発信元情報を送信することが考えられるが、図１０と同等の手順により全白ページについては発信元情報を付加しないように制御することもできる。
【０１００】
以上から明らかなように、本実施形態によれば、ある原稿面（上記制御例では裏面）が全白である場合は、ＩＴＵ−Ｔ勧告Ｔ．３０通り裏面の全白情報を送信し、その場合、ＩＴＵ−Ｔ勧告で規定されたページナンバー（後述のＰＮ）および表裏の識別情報（後述のＳＩＤＥ）もＩＴＵ−Ｔ勧告Ｔ．３０通り送信するようにしており、特殊な両面通信手順を用いないため、通信の互換性が高く、ＩＴＵ−Ｔ勧告Ｔ．３０をサポートしている受信機であれば通信不能となることがなく、確実に両面通信を行なうことができる。
【０１０１】
また、ある原稿面（上記制御例では裏面）の画情報として全白情報を送信する場合は、その面に関して受信側で発信元情報（ヘッダ情報）が記録されないよう制御するようにしているので、受信側ユーザに奇異な印象を与えることのない自然な発信元情報を記録できる。
【０１０２】
また、受信側で発信元情報として記録するページ番号は全白ではない有効画情報のページ数をカウントアップし、全白画情報はカウントアップしないようにしている。つまり、全白ではない有効画情報についてのみ、連続した通し番号のページ番号を持つ発信元情報が生成されるので、この意味でも受信側ユーザに奇異な印象を与えることがない。
【０１０３】
なお、以上では、交互モードにおける制御例を示したが、本発明の特徴は両面送信において、全白面はそのまま送信するが全白面について発信元情報を付加しないこと、および受信側で発信元情報として記録するページ番号は全白ではない有効画情報のページ数をカウントアップし、全白画情報はカウントアップしないようにすることの２点であり、このような制御は交互モードのみならず連続モードにおいても実施できるのはいうまでもない。
【０１０４】
また、以上では、裏面の（ほぼ）全白状態を検出し、全白裏面では発信元情報を付加しない構成を示したが、表面についても同じ制御を行なうことができる。すなわち、全白面はそのまま送信するが全白面について発信元情報を付加しない制御、および受信側で発信元情報として記録するページ番号は全白ではない有効画情報のページ数をカウントアップし、全白画情報はカウントアップしない制御は、裏面のみならず表面についても実施できる。
【０１０５】
たとえば、図１５に示すように、図１１のステップＳ７８およびＳ７９の前にステップＳ８８（図１２）と同じ処理を行なうステップＳ１１４を挿入し、その判定結果が全白の場合はステップＳ９２（図１２）と同じ処理を行なうステップＳ１１６を実行し、ステップＳ１１４の判定が全白でなかった場合はステップＳ７８およびＳ７９を実行するようにすればよい。
【０１０６】
なお、（ほぼ）全白の原稿面を検出した場合、生成した（あるいはあらかじめ用意した）完全な全白ページの情報を送信するか、それとも読取回路１４から読み取った実際の（ほぼ）全白の画像データを送信するかは任意である。
【０１０７】
また、以上では、送信側で画情報として発信元情報を生成して、送信する例を示したが、発信元情報およびこれに含まれるページカウンタ（通しページ番号）の値は、画像データの形態以外の任意の形態で送信でき（たとえば特定のファクシミリ手順信号のＦＩＦなどを用いて送信する）、受信側で画像に変換して記録するような構成とすることもできる。
【０１０８】
以上では、ファクシミリ専用機の構成を示したが、本発明はファクシミリ専用機のみならず、他の形態のファクシミリ装置に実施できるのはいうまでもない。たとえば、本発明は、パーソナルコンピュータのような汎用の端末にＦＡＸモデムなどを外付け／内蔵し、ソフトウェア制御によりファクシミリ通信を行なう構成においても実施することができる。その場合、本発明の制御プログラムは、前述のＲＯＭ２４のみならず、ハードディスク、フロッピーディスク、光ディスク、光磁気ディスクやメモリカードなどのあらゆるコンピュータ読み取り可能な記憶媒体に格納して供給することができる。また、本発明が画像形成装置にＦＡＸ通信インターフェースやネットワークインターフェースを装着したいわゆるデジタル複合機においても実施できるのはもちろんである。
【０１０９】
【発明の効果】
以上の説明から明らかなように、本発明によれば、両面画情報を送信するファクシミリ装置、その制御方法、およびその制御プログラムにおいて、送信すべき原稿表面および裏面の画情報がほぼ全白の全白画情報であるか否かを検出し、全白画情報を検出している場合、当該原稿面に関しては全白画情報を送信するが、この全白画情報には対応するヘッダ情報の画情報を付与せずに送信するよう制御する構成を採用しているので、全白面について全白画情報を送信することにより通信の互換性を低下させることなく、また、全白画情報に対応するヘッダ情報の画情報を付与せずに送信するよう制御することにより受信側ユーザに奇異な印象を与えることのない自然なヘッダ情報を記録できる、という優れた効果が得られる。
【図面の簡単な説明】
【図１】本発明を採用したファクシミリ装置のハードウェア構成を示したブロック図である。
【図２】本発明の両面伝送で用いられるＤＩＳ／ＤＴＣおよびＤＣＳ信号のＦＩＦを示した表図である。
【図３】本発明の両面伝送で用いられるポストメッセージ信号のフォーマットを示した説明図である。
【図４】非ＥＣＭ通信モードにおける交互モードでの両面通信の様子を示した説明図である。
【図５】ＥＣＭ通信モードにおける交互モードでの両面通信の様子を示した説明図である。
【図６】非ＥＣＭ通信モードにおける連続モードでの両面通信の様子を示した説明図である。
【図７】ＥＣＭ通信モードにおける連続モードでの両面通信の様子を示した説明図である。
【図８】図１のＣＰＵ２２の通信制御を示したフローチャート図である。
【図９】図１のＣＰＵ２２による通信制御を示したフローチャート図である。
【図１０】図１のＣＰＵ２２による通信制御を示したフローチャート図である。
【図１１】図１のＣＰＵ２２の通信制御を示したフローチャート図である。
【図１２】図１のＣＰＵ２２による通信制御を示したフローチャート図である。
【図１３】図１のＣＰＵ２２による通信制御を示したフローチャート図である。
【図１４】本発明により送信される原稿画像の構成を示した説明図である。
【図１５】図１のＣＰＵ２２による異なる通信制御を示したフローチャート図である。
【符号の説明】
２  ＮＣＵ
４  電話機
６  ハイブリッド回路
８  変復調器
１０  発呼回路
１２  加算回路
１４  読取回路
１６  記録回路
１８  メモリ回路
２０  操作部
２２  ＣＰＵ
２４  ＲＯＭ
２６  バス
１６１〜１６４、１８１、１８２  画像データ
１６５〜１６８  発信元情報
１７１〜１７６  ポストメッセージ信号
【図１】
0003581671.tif 000002
【図２】
0003581671.tif 000003
【図３】
0003581671.tif 000004
【図４】
0003581671.tif 000005
【図５】
0003581671.tif 000006
【図６】
0003581671.tif 000007
【図７】
0003581671.tif 000008
【図８】
0003581671.tif 000009
【図９】
0003581671.tif 000010
【図１０】
0003581671.tif 000011
【図１１】
0003581671.tif 000012
【図１２】
0003581671.tif 000013
【図１３】
0003581671.tif 000014
【図１４】
0003581671.tif 000015
【図１５】
0003581671.tif 000016